(57)【要約】【課題】ユーザにＨＥＭＳの情報へのアクセスする機会を増やすことで、節電行動を喚起しやすい電力管理システムを提供する【解決手段】  本発明の電力管理システムは、電気機器の消費電力に関する量を測定する電力測定器と、電力測定器で測定した情報を、ネットワークを介して電力管理サーバに送信するための通信手段と、電力管理サーバからの情報を受信するための端末と、を含む電力管理システムであって、端末は、電力管理サーバからの情報を、電力管理サーバ以外のサービスサーバを介して受信するものであり、ユーザがＨＥＭＳの情報へのアクセスしやすく、節電行動を喚起しやすい電力管理システムを構築することができる。【選択図】図1
2015228746.tif 000002
【特許請求の範囲】
【請求項１】
電気機器の消費電力に関する量を測定する電力測定器と、
前記電力測定器で測定した情報を、ネットワークを介して電力管理サーバに送信するための通信手段と、
前記電力管理サーバからの情報を受信するための端末と、を含む電力管理システムであって、
前記端末は、前記電力管理サーバからの情報を、前記電力管理サーバ以外のサービスサーバを介して受信する電力管理システム。
【請求項２】
前記端末から、前記サービスサーバにログインした状態で前記電力管理サーバにログインすることにより、前記サービスサーバと前記電力管理サーバを関連付ける請求項１に記載の電力管理システム。
【請求項３】
前記電力測定器で測定した情報に基づいて前記電力管理サーバが作成した安否情報を前記端末が前記サービスサーバにアクセスすることにより、前記端末に表示する請求項１または請求項２に記載の電力管理システム。
【請求項４】
前記電力測定器で測定した情報に基づいて前記電力管理サーバが電気機器を制御している旨を前記端末が前記サービスサーバにアクセスすることにより、前記端末に表示する請求項１または請求項２に記載の電力管理システム。
【発明の詳細な説明】
【技術分野】
【０００１】
本発明は、電力管理システムに関する。
【背景技術】
【０００２】
近年、環境保護やエネルギー問題の観点から、家庭内で使用される電気機器（主として、家電機器）の省エネルギー（以下、「省エネ」とも称す。）意識を高める取り組みがなされている。省エネは、エネルギーを効率的に使用したり、余分なエネルギーの消費を抑えたりすることによって、エネルギーの消費量を低減しようとするものである。このような取り組みを支援するためのシステムとして、ＨＥＭＳ（Home Energy Management System：家庭内電力管理システム）が実用化されつつある。このようなＨＥＭＳを用いることで、家庭内の電力管理や電力制御をより容易に行なうことができる。
【０００３】
図１０は従来の家庭内電力管理システムを示す図である。電気料金表示器５０と監視センターのサーバコンピュータ（以下、サーバ）５１及び家庭のＬＡＮを介してインターネット５４に接続されたパーソナルコンピュータ（以下、パソコン）５２とで構成されている。
【０００４】
電気機器６０は、電気料金表示装置５０を介してコンセント６１に取り付けられている。
【０００５】
電気料金表示装置５０は、接続された家電機器に流れる電流を計測して、「電気料金」、「使用電力量」、「ＣＯ２排出量」、「一時間当たりの電気料金の予想額」「電気料金」、「使用電力量」、「ＣＯ２排出量」、「一時間当たりの電気料金の予想額」などのデータを表示するとともに、パソコン５２とサーバ５１へ送信する。
【０００６】
監視センターのサーバ５１は、インターネット５４を介して、家庭に設置した電気料金表示器５０の一台ごとのデータを収集し、データベース化して管理する。例えば、データベース化したデータを時系列で管理することで生活行動を分析し、エネルギー診断やサービスに利用することができる。
【０００７】
パソコン５２は、この電気料金表示器５０を設置した家庭のユーザが所有するもので、無線付ルータ５３を介してインターネット５４に接続できるようにしたものである。
【０００８】
ユーザはパソコン５２や携帯端末を使用してインターネット回線５４を介してサーバ５１に接続することにより、家庭の電力使用量に関する情報を知ることができる。
【先行技術文献】
【特許文献】
【０００９】
【特許文献１】特開２０１１−２５４４４１号公報
【発明の概要】
【発明が解決しようとする課題】
【００１０】
一般的なユーザのＨＥＭＳによる節電への関心は、ＨＥＭＳが導入された時から期間を経るに従って薄らいでいく。そのため、上述のＨＥＭＳのように、ユーザがＨＥＭＳサーバに直接アクセスして、電力使用状況を確認する電力使用情報を得るシステムにおいては、ユーザの節電への関心が低くなるにしたがって、ＨＥＭＳサーバへ接続して家庭の電力使用量に関する情報を得る頻度が少なくなっていく。そのため、ＨＥＭＳが家庭に設置されてからの期間が長くなるにつれ、導入当初のような節電効果を得ることが困難になっていた。
【００１１】
本発明は上述の問題を鑑み為されたものであり、ユーザにＨＥＭＳの情報へのアクセスする機会を増やすことで、節電行動を喚起しやすい電力管理システムを提供することを目的とする。
【課題を解決するための手段】
【００１２】
本発明の電力管理システムは、電気機器の消費電力に関する量を測定する電力測定器と、電力測定器で測定した情報を、ネットワークを介して電力管理サーバに送信するための通信手段と、電力管理サーバからの情報を受信するための端末と、を含む電力管理システムであって、端末は、電力管理サーバからの情報を、電力管理サーバ以外のサービスサーバを介して受信するものである。
【００１３】
また、本発明の電力管理システムは、端末から、サービスサーバにログインした状態で電力管理サーバにログインすることにより、サービスサーバと電力管理サーバを関連付けるものである。
【００１４】
また、本発明の電力管理システムは、電力測定器で測定した情報に基づいて電力管理サーバが作成した安否情報を端末が前記サービスサーバにアクセスすることにより、端末に表示するものである。
【００１５】
また、本発明の電力管理システムは、電力測定器で測定した情報に基づいて電力管理サーバが電気機器を制御している旨を端末がサービスサーバにアクセスすることにより、端末に表示するものである。
【発明の効果】
【００１６】
本発明により、ユーザがＨＥＭＳの情報へのアクセスしやすく、節電行動を喚起しやすい電力管理システムを構築することができる。
【図面の簡単な説明】
【００１７】
【図１】本発明の電力管理システムの構成を示す説明図である。
【図２】ＨＥＭＳコントローラをＨＥＭＳサーバに関連付けるための工程を示すシーケンス図である。
【図３】サービスサイトからユーザを関連付ける過程を示すシーケンス図である。
【図４】ＨＥＭＳ情報を含むホームページをユーザ端末に表示させる過程を示すシーケンス図である。
【図５】電力の消費例を示す説明図である。
【図６】ＨＥＭＳ情報へのアクセス件数と省エネ率の推移を示すグラフである。
【図７】本発明の第２の実施の形態である電力管理システムの構成を示す説明図である。
【図８】安否情報発生させる方法を示すフローチャートである。
【図９】本発明の第３の実施の形態である電力管理システムを示す図である。
【図１０】従来の家庭内電力管理システムを示す図である。
【発明を実施するための形態】
【００１８】
以下、図面を参照しつつ、本発明の実施の形態に係る説明する。以下の説明では同一の部品には同一の符号を付してある。それらの名称および機能も同じである。したがって、それらについて詳細な説明は繰り返さない。
【００１９】
（実施の形態１）
図１は、本発明の電力管理システムの構成を示す説明図である。エアコン１１ａ、冷蔵庫１１ｂ、テレビ１１ｃなどの電気機器１１は、電力測定器であるタップ１２を介してコンセントに接続されている。エアコン１１ａは、タップ１２ａと、冷蔵庫１１ｂは、タップ１２ｂと、テレビ１１ｃは、タップ１２ｃとそれぞれ接続されている。タップ１２は、コンセント１３に接続され、家庭内配線１４を経由して分電盤１５に接続されている。
【００２０】
分電盤１５の近くの家庭内配線１４には、ＣＴセンサー１６が取り付けられている。ＣＴセンサー１６a、１６ｂ、１６ｃは、分電盤から延びた家庭内配線１４ａ、１４ｂ、１４ｃにそれぞれ取り付けられ、各配線の電力または電力量などの電力に関する量を測定してＣＴセンサーユニット１７に送信する。このようにして、ＣＴセンサーユニット１７は、各家庭内配線１４ａ、１４ｂ、１４ｃに接続された機器の消費電力量を把握するとともに、家庭内の総消費電力量を把握することができる。
【００２１】
タップ１２およびＣＴセンサーユニット１７は、ＺｉｇＢｅｅ（登録商標）などの無線ネットワーク１８を介してＨＥＭＳコントローラ１９と通信を行うことができる。無線ネットワーク１８を構成するタップ１２、ＣＴセンサーユニット１７、ＨＥＭＳコントローラ１９には、それぞれに無線ネットワーク１８用の固有の無線ネットワークＩＤが割り当てられている。
【００２２】
タップ１２は、接続された電気機器１１の消費電力に関する値を測定し、ＺｉｇＢｅｅ（登録商標）などの無線ネットワーク１８を介してＨＥＭＳコントローラ１９に対して電力や電力量などの消費電力に関する情報を逐次送信している。電気機器１１との対応関係がＨＥＭＳコントローラ１９に登録されている。したがって、エアコン１１ａは、タップ１２ａと、冷蔵庫１１ｂは、タップ１２ｂと、テレビ１１ｃは、タップ１２ｃとそれぞれ接続されていることをＨＥＭＳコントローラ１９は認識している。ＨＥＭＳコントローラ１９は、電気機器１１に接続されたタップ１２が送信する消費電力に関する情報を電気機器毎にＨＥＭＳコントローラ１９のメモリに記憶する。
【００２３】
また、ＣＴセンサーユニット１７は、ＣＴセンサー１６で測定した電力に関する量に基づいて、家庭内の総消費電力を算出し、無線ネットワーク１８を介してＨＥＭＳコントローラ１９に消費電力に関する情報を逐次送信している。
【００２４】
ＨＥＭＳコントローラ１９は、ＣＴセンサーユニット１７が送信する家庭内の総消費電力に関する情報を、ＨＥＭＳコントローラ１９のメモリに記憶することができる。
【００２５】
ルータ２０、ＨＥＭＳコントローラ１９、タブレット端末２１ａおよびパソコン２１ｂは、ＬＡＮ（Local Area Network）２２を構成し、それぞれ固有のＩＤであるＭＡＣアドレスが割り当てられている。尚、ＨＥＭＳコントローラ１９は、無線ネットワーク１８のＩＤとＭＡＣアドレスの両方が割り当てられている。また、ルータ２０はインターネット２４に接続されている。
【００２６】
タブレット端末２１ａおよびパソコン２１ｂユーザなどのユーザ端末２１は、ＨＥＭＳコントローラ１９に蓄積された情報を参照することができる。また、電気機器１１の中に、無線ネットワーク１８を介して制御できるものであれば、タブレット端末２１ａおよびパソコン２１ｂからＨＥＭＳコントローラ１９を介して、電気機器１１を制御することができる。
【００２７】
インターネット２４に接続されたＨＥＭＳサイト２５は、電力管理サーバであるＨＥＭＳサーバ２５ａと、認証サーバ２５ｂとを含んでいる。ユーザは、最初にＨＥＭＳサーバにアクセスした時は、まず、ユーザ端末から認証登録を行う。このときに、ＨＥＭＳサイトからサービスを受けるためのＨＥＭＳＩＤおよびパスワードが設定される。
【００２８】
インターネット２４には、ＨＥＭＳサイト２５以外のユーザが良く使用するサービスサイト２６が接続されている。サービスサイト２６は、サービスサーバ２６ａおよび認証サーバ２６ｂが含まれている。サービスサイト２６としては、検索サイト、ニュースサイト、ショッピングサイト、ブログサイトなどが含まれる。ユーザは、サービスサイト２６で使用されるＩＤを保持しており、個人認証してログインすることができる。
【００２９】
次に、ユーザは、ＨＥＭＳコントローラ１９とＨＥＭＳＩＤを関連付け、ＨＥＭＳコントローラ１９からＨＥＭＳサーバ２５ａに対してＨＥＭＳコントローラ１９に関連付けされた電気機器１１やＣＴセンサーユニット１７の電力に関する情報が送信できるようにする。
【００３０】
図２は、ＨＥＭＳコントローラをＨＥＭＳサーバに関連付けるための工程を示すシーケンス図である。ユーザは、ユーザ端末２１でＨＥＭＳＩＤを使用して認証サーバ２５ｂに認証され、ＨＥＭＳサーバ２５ａにログインしている。また、ＨＥＭＳコントローラ１９には、ＨＥＭＳサーバ２５ａのアドレスを記憶させてある。ユーザは、ユーザ端末２１を操作して、ＨＥＭＳコントローラ１９のＭＡＣアドレスを認証用データとしてＨＥＭＳサーバに送信する（Ｓ１０１）。ＭＡＣアドレスは、必ずしもすべて使用する必要はなく、ＭＡＣアドレス一部によって、ユーザが特定可能であれば、ＭＡＣアドレスの一部を使用しても良い。
【００３１】
次に、ＨＥＭＳサーバ２５ａは、ＨＥＭＳコントローラ１９のテスト通信を1分程度の所定の時間受け付ける（Ｓ１０２）。所定の時間内にユーザは、ＨＥＭＳコントローラ１９を操作してＨＥＭＳコントローラ１９のＭＡＣアドレスをＨＥＭＳサーバ２５ａに送信する（Ｓ１０３）。ＨＥＭＳサーバ２５ａはＨＥＭＳコントローラ１９から送信を受けると、ユーザ端末２１から送られた認証用データとＨＥＭＳコントローラ１９から受け取ったＭＡＣアドレスとを照合して認証を行う（Ｓ１０４）。認証が成功すると、ＨＥＭＳサーバ２５ａは、認証できた旨をＨＥＭＳコントローラ１９に送信する（Ｓ１０５）。また、ＨＥＭＳコントローラ１９は、ＨＥＭＳサーバからの認証が成功した旨の送信を受けてその旨をＨＥＭＳコントローラ１９の表示部に表示する（Ｓ１０６）。
【００３２】
以後、ＨＥＭＳサーバにＨＥＭＳコントローラ１９は、一定の間隔あるいは、ＨＥＭＳサーバ２５ａの求めに応じて、内部のメモリに蓄積した電力に関する情報をＨＥＭＳサーバ２５ａに送信することができるようになる（Ｓ１０７）。このとき、ユーザは、ユーザ端末２１からＨＥＭＳサーバ２５ａにアクセスして認証が成功したかどうか確認することができる。
【００３３】
その後、ＨＥＭＳサーバ２５ａは、ＨＥＭＳコントローラ１９から送信された電力に関する情報に基づいて、ユーザに対するアドバイスを準備する。ユーザは、ＨＥＭＳサイト２５にアクセスして、消費電力に関するアドバイスを受けることができる。
【００３４】
ユーザは、図１に示すＨＥＭＳシステムを使用する場合には、まず、ルータ２０までに接続するまでのネットワークである無線ネットワーク１８およびＬＡＮ２２を設定した上で、インターネット２４を介して、ＨＥＭＳサーバ２５ａに接続して設定を行う。
【００３５】
図３は、サービスサイトからユーザを関連付ける過程を示すシーケンス図である。ユーザはサービスサーバにサービスサーバ用のユーザ名とパスワードで認証してログインしている。サービスサーバのホームページには、ＨＥＭＳサーバ入力画面に遷移するためのリンクボタンが設定されている。ユーザはリンクボタンを操作する（Ｓ１１１）。すると、サービスサーバはリダイレクトにより、ユーザ端末からＨＥＭＳサイト２５の認証サーバ２５ｂに認証要求するように求める（Ｓ１１２）。認証サーバ２５ｂがユーザ端末に対し、ＨＥＭＳサイトにアクセスするためのＩＤ・パスワードを入力するように要求する（Ｓ１１３）。ユーザがＩＤパスワードを認証サーバ２５ｂに送る（Ｓ１１４）と、認証サーバが認証手続を行う（Ｓ１１５）。認証が成功すると（Ｓ１１６）、ＨＥＭＳサーバ２５ａにおいて、サービスサーバ２６ａとユーザとの関連付けが行われる（Ｓ１１７）。次に、ＨＥＭＳサーバ２５ａは、消費電力量やユーザへの節電アドバイスなどのＨＥＭＳ情報をサービスサーバ２６ａに送信する（Ｓ１１８）。サービスサーバ２６ａは、提供されたＨＥＭＳ情報をユーザ端末２１に送信するＨＰのデータに合成（Ｓ１１９）し、ＨＥＭＳ情報を含むＨＰデータをユーザ端末に送る（Ｓ１２０）ことにより、ＨＥＭＳ情報のあるサービスサイトのホームページをユーザ端末に表示させることができる。
【００３６】
尚、ステップＳ１１３およびＳ１１４において、ＩＤおよびパスワードを認証サーバ２５ｂに送信する場合、ＨＥＭＳサーバにログインするのと同じＩＤおよびパスワードを用いたが、予めサービスサーバ認証用のＩＤおよびパスワードを発行しておき、サービスサーバからのリダイレクトによる認証要求（Ｓ１１２）があった時にサービスサーバ認証用のＩＤおよびパスワードを入力することで、ＨＥＭＳサーバにアクセスできるパスワードを使用しなくても良いので、セキュリティを高めることができる。
【００３７】
図４は、ＨＥＭＳ情報を含むホームページをユーザ端末に表示させる過程を示すシーケンス図である。ＨＥＭＳサーバ２５ａにおいてサービスサーバ２６ａとユーザの関連付けが完了しており、ユーザ端末２１からサービスサーバ２６ａにログインできる状態にある。ユーザがユーザ端末からサービスサーバ２６ａのホームページにアクセスを行う、このとき、必要に応じてサービスサイトの認証サーバ２６ｂ（図示せず）でユーザ名、パスワードなどを入力して認証を行う（Ｓ１２１）。次に、サービスサーバ２６ａは、ＨＥＭＳサーバ２５ａにユーザのＨＥＭＳ情報の提供を要求する（Ｓ１２２）。ＨＥＭＳサーバ２５ａは、サービスサーバ２６ａとユーザの関連付けられていることに基づいて、サービスサーバ２６ａにＨＥＭＳ情報を提供する（Ｓ１２３）。サービスサーバ２６ａは、提供されたＨＥＭＳ情報を自らのＨＰのデータと合成する（Ｓ１２４）。次に、サービスサーバ２６ａは、合成されたＨＰのデータをユーザ端末２１に送信し、ユーザ端末２１にＨＥＭＳ情報の入ったａホームページを表示させる（Ｓ１２５）。
【００３８】
ユーザにアドバイスを送るためのＨＥＭＳ情報はＨＥＭＳサーバ２５ａによって次のように作成される。まず、各家庭の状態に応じて、月ごとに電力料金の目標値を設定する。この目標値は、目標値を設定する家庭の過去の消費電力値や電力料金に基づいて設定しても良いし、ユーザの目標とする電力料金に基づいて設定しても良い。次に、ＨＥＭＳサーバ２５ａは、当月の目標値を基に各日の電気料金の目標値を設定する。続いて、ＨＥＭＳサーバ２５ａは、家庭の電力消費パターンに基づいて各時間の消費電力量を求め、基準となる消費電力量のパターンを作成する。
【００３９】
図５は、ある１日の電力の消費例を示す説明図である。ある家庭のある１日の目標とする消費電力量のパターンが曲線Ｃ１のように算出された。Ｃ２は、現実の電力消費を示す曲線であり、時刻Ｔ１において、予測される消費電力量に対して、所定の電力量であるＷａを超過した。その後曲線Ｃ３のように消費電力量が推移したとすると、ＨＥＭＳサーバ２５aは、時刻Ｔ１以降から、予測される消費電力量に対して、時刻Ｔ２においてＷａよりも小さい所定の電力量Ｗｂを下回るまでの間に、ユーザがＨＥＭＳサーバ２５aのホームページを訪問した場合に、ホームページに電力消費を抑制する旨のメッセージを表示させる。
【００４０】
図６は、ＨＥＭＳ情報へのアクセス件数と省エネ率の推移を示すグラフである。図６（ａ）は、ＨＥＭＳを使用した家庭における実証実験において、ＨＥＭＳ情報をＨＥＭＳサイトのみに表示した場合における、アクセス件数と省エネ率の推移示すものである。棒グラフは、ＨＥＭＳサイトまたは、通じてＨＥＭＳ情報を参照した回数を示すものであり、折れ線グラフは、ユーザが従来に比べて削減できた電力量の割合を示す省エネ率を示すものである。ユーザがＨＥＭＳサイトにアクセスする回数は１２カ月後には月１０回程度まで減少していき、省エネ率は３％程度になっている。
【００４１】
図６（ｂ）は、ＨＥＭＳ情報をＨＥＭＳサイトだけでなくサービスサイトである検索サイトのホームページに表示した場合における、アクセス件数と省エネ率の推移示すものである。棒グラフは、ＨＥＭＳサイトまたは、検索エンジンを通じてＨＥＭＳ情報を参照した回数を示すものであり、折れ線グラフは、ユーザが従来に比べて削減できた電力量の割合を示す省エネ率を示すものである。ＨＥＭＳサイトと連携させた世帯においては、１２カ月後においても検索サイトを通じてＨＥＭＳ情報に触れる機会は２０回以上を維持していた。その結果、省エネ効果において、７％程度の省エネ効果を維持していた。
【００４２】
以上のことから、検索エンジンサイトなどのユーザが普段使用するサービスサイトを経由してＨＥＭＳ情報を得ることにより、省エネに関するユーザの関心を持続させることができ、ＨＥＭＳを導入した家庭において、持続的にエネルギー消費を抑えることができる。
【００４３】
（実施の形態２）
図７は、本発明の第２の実施の形態である電力管理システムの構成を示す説明図である。電力管理システムが設置されている家の外の端末２７がインターネットに接続している以外は、図１と同様の構成である。電力管理システムを利用して遠隔地に居住する高齢者等の安否に関する情報を得るものである。端末２７は、インターネット回線に接続されてなり、ＨＥＭＳサーバにログインして遠隔地にある電気機器１１の動作状況を把握することができる。
【００４４】
安否を確認される人はテレビ１１ｃを定期的に使用し、テレビ１１ｃのスイッチＯＮ、ＯＦＦを毎日繰り返しているものとする。このような場合、テレビ１１ｃの消費電力の変化を監視することで、安否情報得ることができる。
図８は、安否情報発生させる方法を示すフローチャートである。テレビ１１ｃは待機電力があるので、あらかじめ電力の閾値を定め、閾値以上でＯＮ、閾値以下でＯaＦＦと判断する。また、ＯＮ，ＯＦＦが連続する時間の上限を定めておく（Ｓ２０１）。テレビ１１ｃ、タイマーカウントスタート（Ｓ２０２）後、一定時間（５分間）ごとに消費電力を監視する（Ｓ２０３）。監視した数値おいて、閾値をまたいで電力が変化したかどうか判断する（Ｓ２０４）。閾値をまたいで電力が変化し、ＯＮ、ＯＦＦが切り替わったと判断した場合には、タイマーカウントをリセットする。一方、閾値をまたいで電力が変化せず、ＯＮ、ＯＦＦが切り替わらない判断した場合には、タイマーが所定値を超えたかどうか判断する（Ｓ２０５）。所定値を超えない場合は、消費電力監視を継続する。タイマーが所定量（例えば１０時間）以上になると、居住者の安否の確認を促すようなメッセージを出す準備をする（Ｓ２０６）。その後、利用者がサービスサイトに接続すると（Ｓ２０７）、サービスサイトのホームページ安否の確認を促すメッセージを表示して安否確認を促す（Ｓ２０８）。
【００４５】
（実施の形態３）
図９は、本発明の第３の実施の形態である電力管理システムを示す図である。制御ボックス２８以外の構成は図１と同じである。制御ボックス２８は、エアコン１１ａに取り付けられてなり、ＨＥＭＳコントローラ１９と無線ネットワーク１８によって通信することができる。また、ＨＥＭＳコントローラ１９は、制御ボックス２８を介してエアコン１１ａをコントロールすることができる。尚、電気機器１１に無線ネットワーク１８を介して通信制御できる機能があれば、その電気機器については、制御ボックス２８は省略することができる。
【００４６】
ユーザは、あらかじめ端末からＨＥＭＳサーバ２５ａにアクセスして、ＨＥＭＳサーバ２５ａから、ＨＥＭＳコントローラ１９に省エネのためのアドバイスに関連する信号を送ることができるようにしておく。ＨＥＭＳサーバ２５ａは、ＨＥＭＳコントローラ１９からの消費電力に関するデータを分析する。ＨＥＭＳサーバ２５ａが電力を使いすぎであると判断した場合、ＨＥＭＳサーバ２５ａは、ユーザがアクセスした時に表示するアドバイスを作成するとともにＨＥＭＳコントローラ１９に対して省エネのためのアドバイスに関連する信号を送る。ＨＥＭＳコントローラ１９は、ＨＥＭＳサーバからの省エネのためのアドバイスに関連する信号を受けて、制御ボックス２８にエアコン１１ａの設定温度を調整して消費電力を減らすように指示する。制御ボックス２８は、ＨＥＭＳコントローラからの指示を受けてエアコン１１ａを制御して、消費電力を減少させる。本例ではエアコン１１ａ温度調整を行ったが、電気機器１１の中にＨＥＭＳコントローラ１９からの信号で制御できるものが含まれていれば、その電気機器の消費電力の調整は可能になる。このとき、エアコン１１ａをコントロールしている旨をＨＥＭＳコントローラ１９からＨＥＭＳサーバ２５ａに送信しておく。ＨＥＭＳサーバ２５ａは、ＨＥＭＳコントローラ１９からの送信を受けてサービスサイトのホームページにメッセージを表示するための準備を行う。次にユーザがアクセスすると、サービスサーバ２６ａは、ＨＥＭＳコントローラによりエアコンが制御中である旨のメッセージをサービスサイトのホームページに合成して、ユーザの端末に送信する。このようにして、ユーザは、ＨＥＭＳコントローラ１９でエアコン１１ａが制御中であることを知ることができる。
【００４７】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４８】
１１…電気機器
１２…タップ
１３…コンセント
１４…家庭内配線
１５…分電盤
１６…ＣＴセンサー
１７…ＣＴセンサーユニット
１８…無線ネットワーク
１９…ＨＥＭＳコントローラ
２０…ルータ
２１…端末
２３…ＬＡＮ
２４…インターネット
２５…ＨＥＭＳサイト
２５ａ…ＨＥＭＳサーバ
２５ｂ…認証サーバ
２６…サービスサイト
２６ａ…サービスサーバ
２６ｂ…認証サイト
２７…端末
２８…制御ボックス
【図１】
2015228746.tif 000003
【図２】
2015228746.tif 000004
【図３】
2015228746.tif 000005
【図４】
2015228746.tif 000006
【図５】
2015228746.tif 000007
【図６】
2015228746.tif 000008
【図７】
2015228746.tif 000009
【図８】
2015228746.tif 000010
【図９】
2015228746.tif 000011
【図１０】
2015228746.tif 000012